(57)【要約】【課題】実施中の超音波検査を即時に中断し、他の超音波検査を行った後、容易に先の超音波検査を再開することのできる超音波診断装置を提供する。【解決手段】制御手段００４は、ユーザインターフェース００１から超音波検査の中断の指示又は該超音波検査の再開の指示を受けて、該超音波検査の中断又は再開を行い、中断時に制御手段００４が送受信手段００３、画像処理手段００５、データ保存手段００６、及び表示制御手段００９のうちの少なくともいずれかを制御する制御情報を一時記憶手段００８に記憶させ、再開時に該制御情報を一時記憶手段００８から読み出し、該制御情報に基づき中断直前の状態に戻し、再開させ、表示制御手段００９は、超音波検査の中断時には、該中断していることを示す表示を表示手段０１０に表示させ、超音波検査の再開時には、該中断していることを示す表示を表示手段０１０から消去する。【選択図】図１
2008104774.tif 000002
【特許請求の範囲】
【請求項１】
超音波を発信する超音波プローブと、
前記超音波プローブを介して被検体に対し超音波を送受信する送受信手段と、
前記送受信手段で得られた超音波エコー信号に基づいて超音波断層像を生成する画像処理手段と、
前記超音波断層像を保存するデータ保存手段と、
前記超音波断層像を表示手段に表示させる表示制御手段と、
前記送受信手段、前記画像処理手段、前記データ保存手段、及び前記表示制御手段の各手段を制御する制御手段と
を備える超音波診断装置であって、
前記制御手段は、
ユーザインターフェースから超音波検査の中断の指示又は該超音波検査の再開の指示を受けて、該超音波検査の中断又は再開を行い、
中断時に前記制御手段が前記送受信手段、前記画像処理手段、前記データ保存手段、及び前記表示制御手段のうちの少なくともいずれかを制御する制御情報を一時記憶手段に記憶させ、
再開時に該制御情報を前記一時記憶手段から読み出し、該制御情報に基づいて前記送受信手段、前記画像処理手段、前記データ保存手段、及び前記表示制御手段のうちの少なくともいずれかを中断直前の状態に戻し、再開させ、
前記表示制御手段は、
前記超音波検査の中断時には、該中断していることを示す表示を前記表示手段に表示させ、前記超音波検査の再開時には、該中断していることを示す表示を前記表示手段から消去する
ことを特徴とする超音波診断装置。
【請求項２】
前記インターフェースからの前記超音波断層像の一時保存命令を受けて、前記画像処理手段により命令を受けた時点から所定数枚前までの前記超音波断層像を保存されるシネメモリをさらに備え、
前記制御手段は、
前記被検体への前記超音波の送受信を行い、前記超音波断層像を生成している時に前記中断を行う場合には、スキャン情報、部位情報、生成されている画像、前記シネメモリに入っている画像、ＤＩＣＯＭ情報、及び検査開始からの時間情報を一時記憶手段に記憶させる
ことを特徴とする請求項１に記載の超音波診断装置。
【請求項３】
前記制御手段は、
前記超音波断層像の生成を終了し、該超音波断層像により診断を行っている時に前記中断を行なう場合には、ＤＩＣＯＭ情報、検査開始からの時間情報、部位情報、対象部位の面積等の検査の計測情報、検査の動画を前記データ保存手段に保存した情報、及び検査の静止画を前記データ保存手段に保存した情報を一時記憶手段に記憶させる
ことを特徴とする請求項１に記載の超音波診断装置。
【請求項４】
前記表示制御手段は、ユーザが事前に設定した表示位置に前記超音波検査が中断していることを示す表示を表示させる
ことを特徴とする請求項１乃至３いずれか１つに記載の超音波診断装置。
【請求項５】
前記インターフェースは、事前に請求項２又は請求項３における情報のうち１つ又は複数の情報をユーザに選択させる
ことを特徴とする請求項１乃至４のいずれか１つに記載の超音波診断装置。
【請求項６】
前記インターフェースは、前記記憶させた制御情報の中から１つ又は複数の前記制御情報をユーザに選択させ、
前記制御手段は、前記選択された前記制御情報を受けて、該制御情報を基に前記超音波診断装置を中断直前の状態に戻し、
前記表示制御手段は、前記一時記憶手段に記憶された全ての前記制御情報を基に前記超音波診断装置を中断直前の状態に戻した場合に、前記中断していることを示す表示を表示手段から消去する
ことを特徴とする請求項１乃至５のいずれか１つに記載の超音波診断装置。
【請求項７】
前記表示制御手段は、ユーザが事前に設定した患者ＩＤ又はサムネイルなどの前記中断した超音波検査を特定する情報を受けて、前記超音波検査が中断していることを示す表示として該情報を表示させる
ことを特徴とする請求項１乃至６のいずれか１つに記載の超音波診断装置。
【請求項８】
超音波を発信する超音波プローブと、前記超音波プローブを介して被検体に対し超音波を送受信する送受信手段と、前記送受信手段で得られた超音波エコー信号に基づいて超音波断層像を生成する画像処理手段と、前記超音波断層像を保存するデータ保存手段と、前記超音波断層像を表示手段に表示させる表示制御手段と、前記送受信手段、前記画像処理手段、前記データ保存手段、及び前記表示制御手段の各手段を制御する制御手段とを備える超音波診断装置の該制御手段に検査工程を変更させる検査工程制御プログラムであって、
前記制御手段に、
ユーザインターフェースからの超音波検査の中断の指示又は該超音波検査の再開の指示に基づく、該超音波検査の中断又は再開を行わせ、
中断時に前記制御手段が前記送受信手段、前記画像処理手段、前記データ保存手段、及び前記表示制御手段のうちの少なくともいずれかを制御する制御情報を一時記憶手段に記憶させ、再開時に該制御情報を前記一時記憶手段から読み出させ、該制御情報に基づいて前記送受信手段、前記画像処理手段、前記データ保存手段、及び前記表示制御手段のうちの少なくともいずれかを中断直前の状態に戻させ、再開させ、
前記表示制御手段に、
前記超音波検査の中断時には、前記超音波検査が中断していることを示す表示を表示手段に表示させ、前記超音波検査の再開時には、前記中断していることを示す表示を表示手段から消去させる
ことを特徴とする検査工程制御プログラム。
【発明の詳細な説明】
【技術分野】
【０００１】
本発明は、医療用の超音波断層像を生成する超音波診断装置に関する。特に、超音波診断装置で被検体の部位から超音波断層像を生成する検査、又は超音波断層像を基に診断する検査を行うそれぞれの工程で、容易に中断及び再開が可能である技術に関する。
【背景技術】
【０００２】
超音波診断装置を使用した検査は、検査の開始から終了までの間に時間的な中断を要しない検査（通常検査）と、１つの検査において時間的な中断をはさみ、複数回の項目に分けて実施される検査（中断検査）がある。この中断検査が行われる場合としてはストレス検査が挙げられる。このストレス検査では、患者の部位に負荷を与えない状態で検査を行い、ストレスエコーの中断機能を用いて中断し、その後一定の時間をあけた後、患者の部位に負荷を与えた状態での検査を再開する。
【０００３】
また、同一の患者が複数回通常検査を行う場合には、２回目以降の検査も新たな検査として、過去の検査データを基に自動又は手動で検査条件の再設定を行う。
【０００４】
しかし、上記の計画的な中断とは異なり、超音波診断装置で被検体の部位から超音波断層像を生成する検査、又は超音波断層像を元に診断する検査（以下、これら２つの検査を区別しない場合には、いずれか一方又は双方の検査を超音波検査という。）を実施している最中に、救急患者が入ってきて、該救急患者の検査が必要になった場合には、現在実施している超音波検査を即時に中断して、該救急患者の超音波検査を行わなければならない。このような場合、その救急患者の超音波検査が終わった後に、超音波診断装置及び被検体を中断直前の状態に戻し、先に実施していた超音波検査を中断した時点の状態から再開させる必要がある。なぜなら、再度最初から検査していたのでは、非常に時間が掛かってしまうとともに、検査の対象となっている患者のストレスが大きくなってしまうからである。
【０００５】
このような場合、従来は、検査技師が前の患者の必要な画像などの保存を通常の終了工程で行ったり、検査条件をメモするなどしたりしておく必要があった。この点、通常検査を中断して、他の超音波診断装置で検査を再開できる技術（例えば、特許文献１参照。）や、一時的に超音波検査を行うための超音波診断装置の制御情報を退避させ、他の検査を行った後、退避した該制御情報を再設定して検査を再開する装置（例えば、特許文献２参照。）が提供されている。
【０００６】
【特許文献１】特開２００６−０００４６２号公報
【特許文献２】特開２００６−１６７０４８号公報
【発明の開示】
【発明が解決しようとする課題】
【０００７】
この点、特許文献１に記載の技術では、中断を行うのに通常の超音波検査の終了工程を経る必要があり、実施している超音波検査の迅速な中断を行うことが困難である。また、特許文献２に記載の装置では、退避した制御情報を再設定するための方法が開示されておらず、実施している超音波検査を中断した後に、該超音波検査の再開を容易に行うことは困難である。
【０００８】
本発明は、このような事情に鑑みてなされたもので、実施中の超音波検査を即時に中断し、他の超音波検査を行った後、容易に先の超音波検査を再開することのできる超音波診断装置を提供することを目的としている。
【課題を解決するための手段】
【０００９】
上記目的を達成するために、請求項１に記載の超音波診断装置は、超音波を発信する超音波プローブと、前記超音波プローブを介して被検体に対し超音波を送受信する送受信手段と、前記送受信手段で得られた超音波エコー信号に基づいて超音波断層像を生成する画像処理手段と、前記超音波断層像を保存するデータ保存手段と、前記超音波断層像を表示手段に表示させる表示制御手段と、前記送受信手段、前記画像処理手段、前記データ保存手段、及び前記表示制御手段の各手段を制御する制御手段とを備える超音波診断装置であって、前記制御手段は、ユーザインターフェースから超音波検査の中断の指示又は該超音波検査の再開の指示を受けて、該超音波検査の中断又は再開を行い、中断時に前記制御手段が前記送受信手段、前記画像処理手段、前記データ保存手段、及び前記表示制御手段のうちの少なくともいずれかを制御する制御情報を一時記憶手段に記憶させ、再開時に該制御情報を前記一時記憶手段から読み出し、該制御情報に基づいて前記送受信手段、前記画像処理手段、前記データ保存手段、及び前記表示制御手段のうちの少なくともいずれかを中断直前の状態に戻し、再開させ、前記表示制御手段は、前記超音波検査の中断時には、該中断していることを示す表示を前記表示手段に表示させ、前記超音波検査の再開時には、該中断していることを示す表示を前記表示手段から消去することを特徴とするものである。
【００１０】
請求項８に記載の超音波診断プログラムは、超音波を発信する超音波プローブと、前記超音波プローブを介して被検体に対し超音波を送受信する送受信手段と、前記送受信手段で得られた超音波エコー信号に基づいて超音波断層像を生成する画像処理手段と、前記超音波断層像を保存するデータ保存手段と、前記超音波断層像を表示手段に表示させる表示制御手段と、前記送受信手段、前記画像処理手段、前記データ保存手段、及び前記表示制御手段の各手段を制御する制御手段とを備える超音波診断装置の該制御手段に検査工程を変更させる検査工程制御プログラムであって、前記制御手段に、ユーザインターフェースからの超音波検査の中断の指示又は該超音波検査の再開の指示に基づく、該超音波検査の中断又は再開を行わせ、中断時に前記制御手段が前記送受信手段、前記画像処理手段、前記データ保存手段、及び前記表示制御手段のうちの少なくともいずれかを制御する制御情報を一時記憶手段に記憶させ、再開時に該制御情報を前記一時記憶手段から読み出させ、該制御情報に基づいて前記送受信手段、前記画像処理手段、前記データ保存手段、及び前記表示制御手段のうちの少なくともいずれかを中断直前の状態に戻させ、再開させ、前記表示制御手段に、前記超音波検査の中断時には、前記超音波検査が中断していることを示す表示を表示手段に表示させ、前記超音波検査の再開時には、前記中断していることを示す表示を表示手段から消去させることを特徴とするものである。
【発明の効果】
【００１１】
請求項１又は請求項８に記載の発明によると、ユーザがインターフェースを使用して指示することで、一時中断時に実施中の超音波検査の制御情報を一時記憶手段へ記憶させ、さらに再開時に該制御情報の各手段へ送信が行える。これにより、迅速かつ容易に実施中の超音波検査の中断及び中断した状態からの該超音波検査の再開が可能となる。また、中断中であることを示す表示がなされているため、視覚的に中断している超音波検査が認識し易く、再開の時間がより短縮できる。
【発明を実施するための最良の形態】
【００１２】
超音波検査は、被検体への超音波の送受信による超音波断層像の生成（以下「第１の検査状態」という。）、又は生成した超音波断層像を用いた診断（以下「第２の検査状態」という。）を含む一連の医療行為を指すものである。この第１の検査状態と第２の検査状態では扱う制御情報が異なるため、第１の検査状態における本発明に係る超音波診断装置の動作を第１の実施形態とし、第２の検査状態における本発明に係る超音波診断装置の動作を第２の実施形態として説明する。ただし、第１の検査状態と第２の検査状態は一連の医療行為であるので、以下の第１の実施形態と第２の実施形態は一連の実施形態とすることができる。
【００１３】
〔第１の実施形態〕
以下、第１の検査状態における、本発明に係る超音波診断装置について図１及び図２を参照して説明する。図１は、本発明に係る超音波診断装置の機能を表すブロック図である。図１において、実線の矢印はデータの流れを示しており、点線の矢印は制御の流れを示している。ここで、図１における、制御手段００４、画像処理手段００５、表示制御手段００９、及びサムネイル画像作成手段０１２はＣＰＵ及びプログラムで構成されている。さらに、一時記憶手段００８は揮発性メモリなどで構成されており、電源を切るような場合には、データ保存手段００６への保存などを行わなければ、一時記憶手段００８内のデータは消滅する。また、図２は、超音波検査の中断及び再開における表示手段の表示の模式図である。ここで、図２の画面１００は中断前の超音波検査が実施されている画面であり、ＩＤ１０１は該超音波検査の検査ＩＤであり、画像１０２はこの超音波検査による超音波断層像である。また、画面１１０は、検査ＩＤがＡＡＡである超音波検査が中断され、検査ＩＤがＢＢＢの超音波検査が行われている画面であり、ＩＤ１１１は該超音波検査の検査ＩＤであり、画像１１２は該超音波検査による超音波断層像であり、サムネイル画像１１３は中断されている超音波検査のサムネイルである。さらに、画面１２０は、中断されていた超音波検査が再開された画面であり、ＩＤ１２１は再開された超音波検査の検査ＩＤであり、画像１２２は再開された超音波検査による超音波断層像である。
【００１４】
ユーザは、表示手段０１０及び操作手段０１１を含むユーザインターフェース００１を使用して、超音波検査のスキャン情報や検査ＩＤ（検査を識別するためのＩＤであって、患者ＩＤでもよい。）等を入力するとともに、超音波検査の開始、実施中の超音波検査の中断、中断した超音波検査の再開、超音波検査の終了、及び超音波断層像の一時保存の指示を出す。ここで、スキャン情報とは、超音波で部位を走査する範囲、フレームレート、及び超音波の波面を焦点に合わせるための遅延時間などの超音波断層像を生成するための情報を指す。さらに、本実施形態では、中断した超音波検査の再開の指示は、後で説明する表示手段０１０に表示されているサムネイル画像（図２おけるサムネイル画像１１３を参照。）をクリックすることで行われる。この点、本実施形態では、視覚的な認識を容易にするため、サムネイル画像１１３をクリックすると超音波検査の再開が指示されるよう構成しているが、これは他の方法でもよく、例えば、事前に超音波検査の再開の指示を出すよう設定されたボタンを押すことで超音波検査の再開が指示されるよう構成してもよい。
【００１５】
制御手段００４は、通常の動作においては、入力されたスキャン情報や検査ＩＤ取得し、ユーザインターフェース００１からの超音波検査の開始の指示を受け、送受信手段００３、画像処理手段００５、表示制御手段００９、及び画像撮影手段０１３に制御命令を出しスキャン情報に基づく超音波検査を開始させる。この制御命令には、例えば、後で説明するような画像処理手段００５において、Ｂモード処理回路又はＣＦＭ処理回路の選択や、どのような形式で画像出力するかの指示などが含まれる。
【００１６】
さらに、制御手段００４は、ユーザインターフェース００１からの超音波検査の終了の指示を受け、送受信手段００３、画像処理手段００５、表示制御手段００９、及び画像撮影手段０１３に制御命令を出し超音波検査を終了させる。
【００１７】
また、制御手段００４は、ユーザインターフェース００１から第１の検査状態の超音波検査の中断の指示を受け、送受信手段００３、画像処理手段００５、表示制御手段００９、サムネイル画像作成手段０１２、及び画像撮影手段０１３（以下、これらをまとめて「各手段」ということがある。）に制御命令を出し実施中の超音波検査を中断する。さらに、制御手段００４は、第１の検査状態における制御情報を一時記憶手段００８に記憶させる。すなわち、制御手段００４は、ユーザによって設定され制御手段００４に内蔵されたメモリ（キャッシュメモリなど）に保管されている、検査ＩＤ、スキャン情報、部位情報、及び医用デジタル画像や通信の規格であるＤＩＣＯＭ情報を読み取り、一時記憶手段００８に記憶させる。さらに、制御手段００４は、制御手段００４に内蔵されるタイマーから得られる検査開始からの時間情報を読み取り、一時記憶手段００８に記憶させる。
【００１８】
また、制御手段００４は、ユーザインターフェース００１から中断した第１の検査状態の超音波検査の再開の指示を受け、各手段に一時記憶手段００８に記憶されている制御情報を送る。すなわち、制御手段００４は、一時記憶手段００８に記憶されている検査ＩＤ、スキャン情報、部位情報、及びＤＩＣＯＭ情報を内蔵のメモリに戻し、検査開始からの時間情報を内蔵されるタイマーに戻し、中断直前と同じ状態で各手段に対し制御命令が出せるよう設定する。さらに、制御手段００４は、一時記憶手段００８に記憶されている、中断時点で生成され表示手段０１０に表示されていた超音波断層像の画像、及び後で説明するシネメモリ００７に中断時に保存されていた画像データを、画像処理手段００５に戻し、一時記憶手段００８に記憶されている患者の位置情報を表示手段０１０や他のユーザインターフェース００１などのユーザが認識できる場所に表示させる。ここで、患者の位置情報とは、画像撮影手段０１３によって撮影された画像から求められる患者の検査台における位置の情報であり、これは実際の患者の画像でも、その画像から求められた検査台に対する直交座標で表された座標でもよい。この患者位置情報は、検査台に対する患者の撮影場所を同一にするために使用される。次に、制御手段００４は、送受信手段００３、画像処理手段００５、表示制御手段００９、サムネイル画像作成手段０１２、及び画像撮影手段０１３に超音波検査の再開の指示を出し、中断している超音波検査を再開させる。
【００１９】
ここで、本実施形態では、中断した超音波検査をより正確に再現するため、患者の位置情報を使用しているが、検査台に対する患者の位置が正確に同一でなくても、検査の内容や必要とされる精度によっては、患者の位置情報を使用しなくても中断した超音波検査を再開することは可能である。
【００２０】
送受信手段００３は、制御手段００４から出力されたスキャン情報に基づく制御信号に従って超音波プローブ００２を駆動することで、超音波を送受信して、所定範囲をスキャンする。さらに、送受信手段００３は、スキャンで得られたデータを画像処理手段００５に送信する。
【００２１】
画像処理手段００５は、送受信手段００３から出力されたデータを受けて、主にフィルタ処理やデジタルゲイン調整などの処理を施すデジタルレシーバを備える。これらの処理を施されたエコーの振幅情報はローデータと呼ばれ、画像処理手段００５は、ユーザインターフェース００１から該ローデータの保存の指示があれば、このローデータをデータ保存手段００６に保存する。
【００２２】
さらに、画像処理手段００５は、Ｂモード処理回路又はＣＦＭ処理回路を備えており、デジタルレジーバーから出力されたデータはいずれかの処理回路にて所定の処理を施される。Ｂモード処理回路はエコーの振幅情報の映像化を行い、エコー信号からＢモード超音波ラスタデータを生成する。ＣＦＭ処理回路は動いている血流情報の映像化を行い、カラー超音波ラスタデータを生成する。さらに、画像処理手段００５はデジタルスキャンコンバータを有し、直交座標系で表される画像を得るために、超音波ラスタデータを直交座標で表される画像データに変換する。画像処理手段００５は、ユーザインターフェース００１から超音波画像データの保存の指示があれば、超音波ラスタデータ及び直交座標で表された超音波画像データをデータ保存手段００６に保存する。
【００２３】
また、画像処理手段００５は、ユーザインターフェース００１より超音波断層像の一時保存の指示を受け、現在表示手段０１０に表示している超音波断層像の画像データ、及びその数枚前の超音波断層像の画像データをシネメモリ００７の中に一時保存する。これは通常であれば所定数の画像データを記憶しておき、新たに画像データを生成したときには、最も古いデータを捨てて新しい画像データを記憶させる。そして、これ動作を画像データを生成する度に行っている。そこで、超音波検査を行っているユーザが超音波断層像を見て異常を感じた場合、該ユーザがその時点の超音波断層像から数枚前の超音波断層像までを確認することで、被検体の患部を発見するために一時的にシネメモリ００７の中に確認のための画像データを保存するものである。
【００２４】
そして、画像処理手段００５は、第１の検査状態の超音波検査の中断の指示を受け、その時点で表示手段０１０に表示されている生成中の超音波断層像の画像（図２における画像１０２）のローデータ、及びシネメモリ００７に入っている画像データを一時記憶手段００８に送り、さらに、中断された時点で生成されていた画像をサムネイル画像作成手段０１２に送る。ここで、本実施形態では、再開した超音波検査での使い易さを考えローデータの形で一時記憶手段００８に記憶されているが、これは、再開後の画像処理を減らすために、超音波ラスタデータや直交座標で表された超音波画像データの形で一時記憶手段００８に記憶させてもよい。
【００２５】
また、画像処理手段００５は、第１の検査状態で中断された超音波検査の再開の指示を受けた場合、制御手段００４から受けた中断された時点で生成されていた画像（図２における画像１２２）のローデータを処理し、その画像データを表示制御手段００９に送信する。また、画像処理手段００５は、シネメモリ００７に中断時に保存されていた画像データをシネメモリ００７に戻す。
【００２６】
サムネイル画像作成手段０１２は、実施中の超音波検査の中断の指示を受けて、画像処理手段から受け取った画像（図２における画像１０２）を基に、サムネイル画像１１３を作成し該サムネイル画像１１３を表示制御手段００９に送る。
【００２７】
表示制御手段００９は、図２に示すように、画像処理手段００５から超音波ラスタデータを受けて、画面１００のように超音波断層像である画像１０２を表示し、制御手段００４から受けたＩＤ１０１を、画面１００のように表示手段０１０に表示させる。このように表示手段０１０に表示されたＩＤ１０１の超音波断層像である画像１０２を参照することで、医師は診断を行える。
【００２８】
次に、実施中の超音波検査の中断の指示を受けた場合、表示制御手段００９は、実施中の超音波検査における画像１０２及びＩＤ１０１の表示手段０１０への表示を終了するとともに、サムネイル画像作成手段０１２で作成された、中断時に生成されていた画像１０２のサムネイル画像１１３を表示手段０１０に表示させる。この表示位置は、自動的に表示手段０１０の空きスペースに表示してもよいし、ユーザによりユーザインターフェース００１を用いて事前に設定した表示手段０１０における表示位置に表示させてもよい。このサムネイル画像１１３は、サムネイル画像１１３に対応した超音波検査が中断している間、他のＩＤ１１１の超音波検査が行われている間も、画面１１０のように、ＩＤ１１１の超音波検査の画像１１２とＩＤ１１１の表示とともに表示手段０１０に表示され続けている。
【００２９】
次に、第１の検査状態で中断された超音波検査の再開の指示を受けた場合、表示制御手段００９は、画面１２０のように、表示手段０１０に表示されているサムネイル画像１１３を消去し、画像処理手段００５から受けた中断時に生成されていた画像１２２、及び制御手段００４から受けたＩＤ１２１を表示手段０１０に表示させる。
【００３０】
ここで、説明の都合上、画像１０２と画像１２２、及びＩＤ１０１とＩＤ１２１を異なるもののように説明しているが、実際は、表示のタイミングが異なるだけであり、内容的には同じ画像、同じ検査ＩＤが表示される。
【００３１】
画像撮影手段０１３は、患者の位置を撮影するカメラであり、この画像に基づく患者の位置情報は画像そのものでもよいし、患者の体のいくつかの特徴的な点を選び出し、検査台における直交座標におけるそれらの点の座標を表わしたものでもよい。
【００３２】
画像撮影手段０１３は、実施中の超音波検査の中断の指示を受けた場合、患者の位置情報を一時記憶手段００８に送る。
【００３３】
〔第２の実施形態〕
以下、第２の検査状態における、本発明に係る超音波診断装置について図１及び図２を参照して説明する。ここで、第２の実施形態は、第１の実施形態において、取り扱う制御情報が変わっただけの実施形態であるので、中断時における制御情報の一時記憶手段００８への記憶、及び、再開時における一時記憶手段００８からの呼び出した制御情報による各手段の中断時の状態への復帰について説明する。
【００３４】
制御手段００４は、ユーザインターフェース００１から第２の検査状態の超音波検査の中断の指示を受け、送受信手段００３、画像処理手段００５、表示制御手段００９、サムネイル画像作成０１１、及び画像撮影手段０１３に制御命令を出し実施中の超音波検査を中断する。さらに、制御手段００４は、内蔵のメモリに保管されている検査ＩＤ、部位情報、ＤＩＣＯＭ情報、及び対象部位の内壁から外壁までの厚さや、内壁をトラッキングすることで求められる対象部位の面積などといった検査の計測情報を一時記憶手段００８に記憶させる。さらに、制御手段００４は、内蔵のタイマーから得られる検査か医師からの時間情報を読み取り、一時記憶手段００８に記憶させる。
【００３５】
また、制御手段００４は、ユーザインターフェース００１から第２の検査状態で中断された超音波検査の再開の指示を受け、一時記憶手段００８に記憶されている検査ＩＤ、部位情報、ＤＩＣＯＭ情報、検査の計測情報を内蔵のメモリに戻し、さらに、検査開始からの時間情報を内蔵されるタイマーに戻し、中断直前と同じ状態で各手段に対し制御命令が出せるよう設定する。そして、制御手段００４は、一時記憶手段００８に記憶されている、中断時に生成されていた画像、及びシネメモリ００７に中断時に保存されていた画像データを、画像処理手段００５に戻す。次に、制御手段００４は、送受信手段００３、画像処理手段００５、表示制御手段００９、及びサムネイル画像作成手段０１２に超音波検査の再開の指示を出し、中断している超音波検査を再開させる。
【００３６】
画像処理手段００５は、第２の検査状態の超音波検査の中断の指示を受け、検査の動画をデータ保存手段００６に保存した保存場所や保存名などの保存情報、及び検査の静止画をデータ保存手段００６に保存した保存場所や保存名などの保存情報を一時記憶手段００８に送り、さらに、検査の静止画の中から１枚（図２における画像１１２）の画像データをサムネイル画像形成手段０１１に送る。ここで、静止画の中から１枚選ぶ方法としては、中断時に表示手段０１０に表示されていた超音波断層像をサムネイル画像形成手段０１１に送る画像とする方法などがある。
【００３７】
また、画像処理手段００５は、第２の検査状態で中断された超音波検査の再開の指示を受けた場合、制御手段００４から受けた検査の動画の保存情報、及び検査の静止画の保存情報に基づき、データ保存手段００６に保存されている検査の動画及び静止画を取得し、中断直前に表示していた画像（例えば、図２における画像１２２）の画像データを表示制御手段００９に送信する。
【００３８】
表示制御手段００９は、第２の検査状態で中断された超音波検査の再開の指示を受けた場合、画面１２０のように、表示手段０１０に表示されているサムネイル画像１１３を消去し、画像処理手段００５から受けたデータ保存手段００６に保存されている診断に使用していた画像１２２、及び制御手段００４から受けたＩＤ１２１を表示手段０１０に表示させる。
【００３９】
次に、第１の実施形態及び第２の実施形態を一連の流れとした場合における、実施中の超音波検査の中断の動作の流れ、及び中断した超音波検査の再開の動作の流れを、図３及び図４を参照して説明する。ここで、図３は実施中の超音波検査の中断の動作を表わすフローチャートであり、図４は中断した超音波検査の再開の動作を表わすフローチャートである。また、図３の前提としては超音波検査を実施中であり、図４の前提としては実施していた超音波検査が中断されている。
〔実施中の超音波検査の中断の動作〕
【００４０】
ステップＳ００１：ユーザが中断ボタンなどのユーザインターフェース００１を使用して、実施中の超音波検査の中断を指示する。
【００４１】
ステップＳ００２：制御手段００４は、実施中の超音波検査が第１の検査状態か、第２の検査状態かを判断し（この判断は、送受信手段００３を介してデータ取得中は第１の検査、そうでない場合は第２の検査として行われる。）、第１の検査状態であればステップＳ００３へ進み、第２の検査状態であればステップＳ００６へ進む。
【００４２】
ステップＳ００３：制御手段００４は、各手段に中断の指示を出すとともに、検査ＩＤ、スキャン情報、ＤＩＣＯＭ情報、検査開始からの時間情報、及び部位情報を一時記憶手段００８に記憶させる。
【００４３】
ステップＳ００４：画像撮影手段０１３は、一時記憶手段００８に患者の位置情報を記憶させる。
【００４４】
ステップＳ００５：画像処理手段００５は、中断時に生成されていた画像及びシネメモリ００７に入っている画像を、一時記憶手段００８に記憶させる。
【００４５】
ステップＳ００６：画像処理手段００５は、サムネイル画像作成手段０１２に中断時に生成されていた画像を送る。
【００４６】
ステップＳ００７：制御手段００４は、各手段に指示を出すとともに、検査ＩＤ、ＤＩＣＯＭ情報、検査開始からの時間情報、部位情報、及び検査の計測情報を一時記憶手段００８に記憶させる。
【００４７】
ステップＳ００８：画像処理手段００５は、検査の動画及び検査の静止画の保存情報を一時記憶手段に保存する。
【００４８】
ステップＳ００９：画像処理手段００５は、サムネイル画像作成手段０１２に検査の静止画の中の１枚を送信する。
【００４９】
ステップＳ０１０：サムネイル画像作成手段０１２は、画像処理手段００５から受けた画像を基に、サムネイル画像を作成する。
【００５０】
ステップＳ０１０：表示制御手段００９は、中断された超音波検査の画像を消去し、サムネイル画像を表示手段０１０に表示する。
〔中断した超音波検査の再開の動作〕
【００５１】
ステップＳ１０１：ユーザがユーザインターフェース００１を使用して、表示手段０１０に表示されているサムネイル画像をクリックすることで、中断した超音波検査の再開を指示する。
【００５２】
ステップＳ１０２：制御手段００４は、中断したときに第１の検査状態であったか、第２の検査状態であったかを判断する。第１の検査状態であればステップＳ１０３に進み、第２の検査状態であればステップＳ１０７に進む。
【００５３】
ステップＳ１０３：制御手段００４は、一時記憶手段００８に記憶されている制御情報を各手段に送信する。また、制御手段００４は、各手段に中断した超音波検査の再開を指示する。
【００５４】
ステップＳ１０４：画像処理手段００５は、一時記憶手段００８に記憶されている中断時にシネメモリに入っていた画像を取得。
【００５５】
ステップＳ１０５：画像取得手段００５は、取得した画像をシネメモリに保存する。
【００５６】
ステップＳ１０６：制御手段００４は、一時記憶手段００８に記憶されている制御情報を各手段に送信する。また、制御手段００４は、各手段に中断した超音波検査の再開を指示する。
【００５７】
ステップＳ１０７：画像処理手段００５は、検査の動画及び検査の静止画の保存情報を制御手段００４から取得する。
【００５８】
ステップＳ１０８：画像処理手段００５は、中断時に表示手段０１０に表示されていた超音波断層像の画像データを表示制御手段００９に送る。
【００５９】
ステップＳ１０９：表示制御手段００９は、表示手段０１０に表示されているサムネイル画像を消去する。
【００６０】
ステップＳ１１０：表示制御手段００９は、表示手段０１０に画像処理手段００５から受け取った超音波断層像、及び制御手段００４から受け取った検査ＩＤを表示させる。
【００６１】
ここで、以上のような、超音波検査の中断及び再開といった検査工程の変更を行う検査工程制御プログラムは、ＣＰＵと通常の超音波検査のプログラムで構成されている、制御手段００４、画像処理手段００５、表示制御手段００９、及びサムネイル画像作成手段０１２の中に配備され、中断時及び再開時における上記の動作を実行させるコマンドを実装したプログラムである。
【００６２】
以上のように、本発明によれば、ボタンを押したり、サムネイル画像をクリックしたりといった、ユーザインターフェース００１からの容易な操作で、超音波検査の中断及び再開が可能となり、さらに超音波検査を中断したときには、該超音波検査が中断中であることを通知する表示が表示手段０１０に表示されているので、視覚的に中断中である超音波検査の確認が可能となり、迅速かつ容易な実施中の超音波検査の中断及び該超音波検査の再開が可能となる。これにより、超音波検査の中断によってかかる時間を短縮でき、効率的な超音波検査が行えるとともに、患者のストレスを軽減することに寄与できる。
【００６３】
〔第３の実施形態〕
以下、本発明の第３の実施形態に係る超音波診断装置について説明する。第３の実施形態に係る超音波診断装置は、第１及び第２の実施形態に係る超音波診断装置において、事前にユーザがユーザインターフェース００１を使用して、超音波検査の中断及び再開に使用する制御情報を選択できる構成にしたものである。そこで、本実施形態におけるユーザによる事前の制御情報の選択、及び、その選択された制御情報を使用した超音波検査の中断及び再開を説明する。
【００６４】
ユーザはユーザインターフェース００１を用いて、生成されている画像、スキャン情報、シネメモリに入っている画像、ＤＩＣＯＭ情報、検査開始からの時間情報、部位情報、患者の位置情報、検査の計測情報、検査の動画をデータ保存手段００６に保存した情報、及び検査の静止画をデータ保存手段００６に保存した情報から１つ又は複数の情報を選択する。このような選択を実現する方法としては、一例として、表示制御手段００９が、表示手段０１０に上記情報をチェックボックスとともに並べた状態のフォーマットを有しており、そのフォーマットを表示手段０１０に表示させる方法がある。これにより、ユーザは、マウスなどのユーザインターフェース００１を用いてそのチェックボックスにチェックを入れることで選択を行える。以下、本実施形態ではユーザが、生成されている画像、スキャン情報、部位情報、及び検査の静止画をデータ保存手段００６に保存した情報を選んだ場合について説明する。ここで、本実施形態では上記４つの情報を選択した場合を考えているが、この選択に特に制限はなくどのような組み合わせでもよく、以下の説明でも同様である。
【００６５】
制御手段００４は、スキャン情報などのユーザインターフェース００１から送られてくる情報とともに、ユーザが選択した、生成されている画像、スキャン情報、部位情報、検査の静止画をデータ保存手段００６に保存した情報を記憶する。
【００６６】
制御手段００４は、ユーザインターフェース００１からの実施中の超音波検査の中断の指示を受けて、ユーザが選択した情報を確認し、各手段に中断の指示を送る。そして、制御手段００４は、第１の検査状態における中断の場合には、検査ＩＤ、スキャン情報、及び部位情報を一時記憶手段００８に記憶させる。また、第２の検査状態における中断の場合には、検査ＩＤ及び部位情報を一時記憶手段００８に記憶させる。
【００６７】
また、制御手段００４は、ユーザインターフェース００１からの中断した超音波検査の再開の指示を受けて、第１の検査状態における中断だった場合には、検査ＩＤ、スキャン情報、及び部位情報を一時記憶手段００８から取得し、内蔵のメモリに記憶し、一時記憶手段００８に記憶されている中断時に生成されていた画像のローデータを画像処理手段００５に送る。また、第２の実施形態における中断だった場合には、検査ＩＤ及び部位情報を一時記憶手段００８から取得し、内蔵のメモリに記憶し、一時記憶手段００８に記憶されている検査の静止画の保存情報を画像処理手段００５に送る。そして、制御手段００４は、各手段に中断した超音波検査の再開を指示する。
【００６８】
画像処理手段００５は、実施中の超音波検査の中断の指示を受けて、第１の検査状態における中断の場合には、生成されている画像のローデータを一時記憶手段００８に記憶させ、さらに、中断時に生成していた画像をサムネイル画像作成手段０１２に送る。また、第２の検査状態における中断の場合には、検査の静止画の保存情報を一時記憶手段００８に記憶させ、さらに、検査の静止画の中の１枚の画像をサムネイル画像作成手段０１２に送る。
【００６９】
また、画像処理手段００５は、中断された超音波検査の再開の指示をうけて、第１の検査状態における中断だった場合には、中断時に生成していた画像のローデータを制御手段００４から受け取り、画像処理した後、表示制御手段００９に送る。また、第２の検査状態における中断だった場合には、静止画の保存情報を制御手段００４から受け取り、その情報に基づき中断時に表示していた超音波断層像の画像データを表示制御手段００９に送る。
【００７０】
さらに、制御手段００４及び画像処理手段００５以外の各手段の動作は画像撮影手段０１３を除き第１及び第２の実施形態と同様に動作する。本実施形態では、患者の位置情報を利用しないため画像撮影手段０１３は動作しない。
【００７１】
また、本実施形態では、ユーザが事前に選択した制御情報だけを一時記憶手段００８に記憶さえ、その記憶させた制御情報全てを超音波検査の再開時に使用しているが、この対応は１対１である必要はなく、例えば、選択された制御情報以外の制御情報も含んだ全ての制御情報を一時記憶手段００８に記憶させておき、再開時に選択された制御情報だけを戻す構成にしてもよい。さらには、再開の指示を出すときに、ユーザにユーザインターフェース００１を用いて再開に用いる制御情報を選択させる構成にしてもよい。また、そのような構成を採ったときに、再開時に使用していない制御情報がある場合には、サムネイル画像などの中断を示す表示を表示手段０１０に表示し続け、記憶されている全ての制御情報が超音波診断の再開に使用されたときに、中断を示す表示を消去する構成にしてもよい。
【００７２】
以上のように、ユーザが選択した制御情報のみを一時記憶手段００８に記憶させたり、選択された制御情報だけを戻したりすることで、超音波診断装置における超音波検査の中断及び再開の処理にかかる負荷を減らすことができる。
【図面の簡単な説明】
【００７３】
【図１】本発明に係る超音波診断装置のブロック図
【図２】超音波検査の中断及び再開における画面表示を説明するための図
【図３】実施中の超音波検査の中断の動作を表わすフローチャート
【図４】中断した超音波検査の再開の動作を表わすフローチャート
【符号の説明】
【００７４】
００１  ユーザインターフェース
００２  超音波プローブ
００３  送受信手段
００４  制御手段
００５  画像処理手段
００６  データ保存手段
００７  シネメモリ
００８  一時記憶手段
００９  表示制御手段
０１０  表示手段
０１１  操作手段
０１２  サムネイル画像作成手段
０１３  画像撮影手段
【図１】
2008104774.tif 000003
【図２】
2008104774.tif 000004
【図３】
2008104774.tif 000005
【図４】
2008104774.tif 000006